(57)【要約】【課題】  現在の番組情報表示では放送波に情報を乗せ、リアルタイムに情報表示を行うことを前提としているために、視聴者は番組の視聴を中断して情報を表示する必要があったり、番組と情報を同時に表示可能な場合もあるが、情報量が限定されたり、番組視聴に集中できなくなるといった問題があった。また、番組終了後に情報を表示できないという問題があった。【解決手段】  番組視聴中にボタン押下などの情報取得操作を行うことにより、インターネット上に配置された番組情報へのアクセス方法を取得し、番組放送中、放送終了後を問わず情報へアクセス可能な方式とする。番組情報へのアクセス方法（URL）は、メールにて取得要求し、メールにて通知される方式とする。【選択図】  図２
2008301005.tif 000002
【特許請求の範囲】
【請求項１】
放送事業者等から番組情報を登録する手段と番組情報へのアクセス方法を視聴者へ提供する手段とからなり、リアルタイムでも番組視聴後でも番組情報を参照することができる情報提供システム。
【請求項２】
番組視聴中に特定の操作を行うことにより、番組情報提供サーバに対して操作実施時の番組情報取得要求する手段と番組情報へのアクセス方法を取得する手段とからなり、リアルタイムでも番組視聴後でも情報を参照することが可能な視聴装置を設けた情報提供システム。
【請求項３】
番組視聴中であればボタン押下により自動で生成される番組情報取得要求を手動で生成する手段を設け、視聴していない番組や放送前の番組の情報へのアクセスを可能とする情報提供システム。
【発明の詳細な説明】
【技術分野】
【０００１】
本願発明は、情報を提供するシステム及び取得する装置に関し、特に放送番組を視聴中または視聴後に番組情報を提供、取得することに好適な情報提供システム及び装置に関する。
【背景技術】
【０００２】
現在、一部放送では放送波に番組関連情報を埋め込み視聴装置で表示させることが可能となっている。視聴者は情報表示可能な視聴装置を所有していることが前提で、番組の視聴を中断して情報を表示している。このため、視聴者は番組視聴を続けるか、番組情報を確認するかのどちらかを選択する必要があった。
【０００３】
【特許文献１】特開２００２−２２３４２７号公報
【特許文献２】特開平８−２８９２７８号公報
【発明の開示】
【発明が解決しようとする課題】
【０００４】
現在の番組情報表示では放送波に情報を乗せ、リアルタイムに情報表示を行うことを前提としている。
【０００５】
よって、視聴者は番組の視聴を中断して情報を表示する必要があったり、番組と情報を同時に表示可能な場合もあるが、情報量が限定されたり、番組視聴に集中できなくなるといった問題があった。
【０００６】
また、番組終了後に情報を表示できないという問題があった。
【０００７】
従来の問題であった情報表示により番組視聴を妨げるという問題に対し、番組視聴を妨げず、また放送時間に限定されずに番組情報に対するアクセス手段を提供することを目的とする。
【課題を解決するための手段】
【０００８】
インターネット上に番組情報を有する番組情報格納部を配置し、視聴者端末から要求があった番組情報へのアクセス方法（URL）をメールにて通知し、インターネット接続により番組情報格納部へアクセスする方式とする。
【発明の効果】
【０００９】
本願発明によれば、番組情報の表示を番組視聴中、視聴後のいつでも可能となり、視聴者が選択したタイミングで番組視聴と情報へのアクセスを行うことが可能である。
【発明を実施するための最良の形態】
【００１０】
以下、本願発明の実施の形態について図面により詳細に説明する。
【実施例１】
【００１１】
図１は本願発明の番組情報提供システムおよび視聴者端末、放送局の関係の概略を示す説明図である。本願発明は番組の視聴、番組情報取得要求、番組情報表示を行う視聴者端末２００と番組情報の登録受け付け、提供を行う番組情報提供システム１００で構成されている。視聴者端末２００と番組情報提供システム１００はインターネット１にて接続されている。
【００１２】
視聴者端末２００は、後述する放送番組視聴、メール等表示用の出力表示部（ディスプレイ）２０７、スピーカ部２０８、ボタン等のユーザインタフェース部２０６を有し、放送番組の視聴やメールの送受信が可能である。
【００１３】
本願発明の実施形態では、視聴者端末２００は１台しか示されていないが、実際はこれ以上の端末が接続されていてもよい。また、放送局３００も複数存在してもよい。
【００１４】
図２は番組情報提供システム１００の構成例を示すものであり、番組情報提供システム１００は、視聴者に番組情報を提供する番組情報提供サーバ１２０と、放送局から番組情報を登録される番組情報登録サーバ１３０と、視聴者に提供する番組情報を作成する番組情報生成サーバ１４０と、視聴者からのリンク情報取得要求を受け付け、返答するメールサーバ１６０と、視聴者からのリンク情報取得要求により番組情報へのリンク（ＵＲＬ）を検索する番組情報検索サーバ１５０とから構成され、各サーバはＬＡＮ３に接続されている。ＬＡＮ３はファイアウォール１１０によりインターネット１に接続される。
【００１５】
番組情報提供システム１００には複数のサーバが存在しているが、同等の機能を提供できればサーバ台数は少なくてもよい。
【００１６】
図３は番組情報提供システム１００を構成する番組情報提供サーバ１２０の構成例を示すブロック図である。同図において、番組提供サーバ１２０は、ユーザインタフェース部１２６、出力表示部１２７、入出力インタフェース部１２５、制御部１２２、記憶装置部１２３、ネットワークインタフェース部１２１、配信用番組情報データベース１２４を有する。
【００１７】
ユーザインタフェース部１２６は、番組情報提供サーバ１２０に対し入力を行う例えばマウス、キーボードである。出力表示部１２７は入力内容や処理結果の表示を行う。入出力インタフェース部１２５は、入出力装置（ユーザインタフェース部１２６、出力表示部１２７、ネットワークインタフェース部１２１）と制御部１２２との間で入出力データのやり取りを行う。制御部１２２は例えばＣＰＵであり、番組情報提供サーバ１２０で実行する処理を制御する。記憶装置部１２３は制御部１２２で実行される各種のプログラム及び配信用番組情報等のデータを記憶する。ネットワークインタフェース部１２１は他装置とデータ通信を行う際に使用し、ＬＡＮ３との接続を行う。
【００１８】
制御部１２２は、放送局３００よりネットワークインタフェース部１２１、入出力インタフェース部１２５を介し番組情報生成サーバ１４０から送られてきた番組情報を記憶装置部１２３から読み出し実行されている番組情報配信サーバ用プログラムに従って、記憶装置部１２３に格納する。
【００１９】
また、制御部１２２は、ネットワークインタフェース部１２１、入出力インタフェース部１２５を介して視聴者端末２００が送信した番組情報取得要求を受信し、記憶装置部１２３から読み出し実行されている番組情報配信サーバ用プログラムに従って、問い合わせ要求を処理し、結果を入出力インタフェース部１２５、ネットワークインタフェース部１２１を介して視聴者端末２００に送信する。
【００２０】
図４は番組情報提供システム１００を構成する番組情報登録サーバ１３０の構成例を示すブロック図である。同図において、番組情報登録サーバ１３０は、ユーザインタフェース部１３６、出力表示部１３７、入出力インタフェース部１３５、制御部１３２、記憶装置部１３３、ネットワークインタフェース部１３１、番組情報作成用データベース１３４を有する。
【００２１】
ユーザインタフェース部１３６は、番組情報登録サーバ１３０に対し入力を行う例えばマウス、キーボードである。出力表示部１３７は入力内容や処理結果の表示を行う。入出力インタフェース部１３５は、入出力装置（ユーザインタフェース部１３６、出力表示部１３７、ネットワークインタフェース部１３１）と制御部１３２との間で入出力データのやり取りを行う。制御部１３２は例えばＣＰＵであり、番組情報登録サーバ１３０で実行する処理を制御する。記憶装置部１３３は制御部１３２で実行される各種のプログラム及びデータを記憶する。ネットワークインタフェース部１３１は他装置とデータ通信を行う際に使用し、ＬＡＮ３との接続を行う。番組情報作成用データベース１３４は、放送局３００から登録された番組情報を管理するデータベースである。
【００２２】
制御部１３２は、放送局３００よりネットワークインタフェース部１３１、入出力インタフェース部１３５を介して配信用番組情報データベース１３４で管理しているデータの登録要求を受信し、記憶装置部１３３から読み出し実行されている番組情報登録サーバ用プログラムに従って、番組情報作成用データベース１３４に番組情報作成用データを登録すると同時に入出力インタフェース部１３５、ネットワークインタフェース部１３１を介して番組情報生成サーバ１３０にデータが登録されたことを通知する。
【００２３】
また、制御部１３２は、ネットワークインタフェース部１３１、入出力インタフェース部１３５を介して番組情報生成サーバ１４０が送信した番組情報作成用データ取得要求を受信し、実行している番組情報登録サーバ用プログラムに従って、データ取得要求を処理し、結果を入出力インタフェース部１３５、ネットワークインタフェース部１３１を介して番組情報生成サーバ１４０に送信する。
【００２４】
図５は番組情報提供システム１００を構成する番組情報生成サーバ１４０の構成例を示すブロック図である。同図において、番組情報生成サーバ１４０は、ユーザインタフェース部１４６、出力表示部１４７、入出力インタフェース部１４５、制御部１４２、記憶装置部１４３、ネットワークインタフェース部１４１を有する。
【００２５】
ユーザインタフェース部１４６は、番組情報生成サーバ１４０に対し入力を行う例えばマウス、キーボードである。出力表示部１４７は入力内容や処理結果の表示を行う。入出力インタフェース部１４５は、入出力装置（ユーザインタフェース部１４６、出力表示部１４７、ネットワークインタフェース部１４１）と制御部１４２との間で入出力データのやり取りを行う。制御部１４２は例えばＣＰＵであり、番組情報生成サーバ１４０で実行する処理を制御する。記憶装置部１４３は制御部１４２で実行される各種のプログラム及びデータを記憶する。ネットワークインタフェース部１４１は他装置とデータ通信を行う際に使用し、ＬＡＮ３との接続を行う。
【００２６】
制御部１４２は、番組情報登録サーバ１３０よりネットワークインタフェース部１４１、入出力インタフェース部１４５を介して番組情報作成用データ登録の通知を受けると、記憶装置部１４３から読み出し実行されている番組情報生成サーバ用プログラムに従って、入出力インタフェース部１４５、ネットワークインタフェース部１４１を介して番組情報登録サーバ１３０から番組情報作成用データを取得し、提供用と検索用にデータを加工後、それぞれ番組情報提供サーバ１２０、番組情報検索サーバ１５０にデータを格納する。
【００２７】
図６は番組情報提供システム１００を構成する番組情報検索サーバ１５０の構成例を示すブロック図である。同図において、番組情報検索サーバ１５０は、ユーザインタフェース部１５６、出力表示部１５７、入出力インタフェース部１５５、制御部１５２、記憶装置部１５３、ネットワークインタフェース部１５１、検索用番組情報データベース１５４を有する。
【００２８】
ユーザインタフェース部１５６は、番組情報検索サーバ１５０に対し入力を行う例えばマウス、キーボードである。出力表示部１５７は入力内容や処理結果の表示を行う。入出力インタフェース部１５５は、入出力装置（ユーザインタフェース部１５６、出力表示部１５７、ネットワークインタフェース部１５１）と制御部１５２との間で入出力データのやり取りを行う。制御部１５２は例えばＣＰＵであり、番組情報検索サーバ１５０で実行する処理を制御する。記憶装置部１５３は制御部１５２で実行される各種のプログラム及びデータを記憶する。ネットワークインタフェース部１５１は他装置とデータ通信を行う際に使用し、ＬＡＮ３との接続を行う。
【００２９】
制御部１５２は、ネットワークインタフェース部１５１、入出力インタフェース部１５５を介してメールサーバ１６０より視聴者からのリンク情報取得要求を受け取ると、記憶装置部１５３から読み出し実行されている番組情報検索サーバ用プログラムに従って、検索用番組情報データベース１５４を検索し、検索結果を入出力インタフェース部１５５、ネットワークインタフェース部１５１を介してメールサーバ１６０に応答する。
【００３０】
図７は番組情報提供システム１００を構成するメールサーバ１６０の構成例を示すブロック図である。同図において、メールサーバ１６０は、ユーザインタフェース部１６６、出力表示部１６７、入出力インタフェース部１６５、制御部１６２、記憶装置部１６３、ネットワークインタフェース部１６１、メールデータ１６４を有する。
【００３１】
ユーザインタフェース部１６６は、メールサーバ１６０に対し入力を行う例えばマウス、キーボードである。出力表示部１６７は入力内容や処理結果の表示を行う。入出力インタフェース部１６５は、入出力装置（ユーザインタフェース部１６６、出力表示部１６７、ネットワークインタフェース部１６１）と制御部１６２との間で入出力データのやり取りを行う。制御部１６２は例えばＣＰＵであり、メールサーバ１６０で実行する処理を制御する。記憶装置部１６３は制御部１６２で実行される各種のプログラム及びデータを記憶する。ネットワークインタフェース部１６１は他装置とデータ通信を行う際に使用し、ＬＡＮ３との接続を行う。
【００３２】
制御部１６２は、ネットワークインタフェース部１６１、入出力インタフェース部１６５を介して視聴者からのリンク情報取得要求メールを受け取ると、記憶装置部１６３から読み出し実行されているメールサーバ用プログラムに従って、番組情報検索サーバ１５０にリンク情報取得要求を送信し、応答があった情報を入出力インタフェース部１６５、ネットワークインタフェース部１６１を介して視聴者へ返信する。
【００３３】
図８は視聴者端末２００の構成例を示すブロック図である。視聴者端末２００は、ユーザインタフェース部２０６、出力表示部２０７、入出力インタフェース部２０５、スピーカ部２０８、制御部２０２、記憶装置部２０３、ネットワークインタフェース部２０１、放送受信部２０９を有する。
【００３４】
ユーザインタフェース部２０６は、視聴者端末２００に対し入力を行うボタン、マウス、キーボード等である。出力表示部２０７は入力内容や処理結果、番組の表示を行う。スピーカ部２０８は番組の音声の出力を行う。入出力インタフェース部２０５は、入出力装置（ユーザインタフェース部２０６、出力表示部２０７、スピーカ部２０８、ネットワークインタフェース部２０１、放送受信部２０９）と制御部２０２との間で入出力データのやり取りを行う。制御部２０２は例えばＣＰＵであり、視聴者端末２００で実行する処理を制御する。記憶装置部２０３は制御部２０２で実行される各種のプログラム及びデータを記憶する。ネットワークインタフェース部２０１メール送受信やデータ通信を行う際等に使用し、インターネットとの接続を行う。
【００３５】
制御部２０２は、放送受信部２０９、入出力インタフェース部２０５を介して放送の受信を行い、出力表示部２０７、スピーカ部２０８に出力する。ユーザが番組を視聴中にユーザインタフェース部２０６の特定のボタン、キーを入力すると、記憶装置部２０３から読み出し実行されている視聴者端末用プログラムに従って、リンク情報取得要求メールを作成し、メール送受信用プログラムに従い、入出力インタフェース部２０５、ネットワークインタフェース部２０１を介してメールを番組情報提供システム１００内のメールサーバ１６０へ送信する。メールサーバ１６０からネットワークインタフェース部２０１、入出力インタフェース部２０５を介してリンク情報のメールを受信すると、視聴者端末用プログラムに従って、メール受信通知を行う。視聴者が出力表示部２０７にメールを表示させ、番組情報リンクをユーザインタフェース部２０６を使用して選択すると、入出力インタフェース部２０５、ネットワークインタフェース部２０１を介して番組情報提供システム１００内の番組情報提供サーバ１２０と通信し、番組情報を取得し、出力表示部２０７にメールを表示する。
【００３６】
図９は番組情報登録の一例を示すシーケンス図である。同図において、放送局３００は視聴者へ提供する番組情報の元となる情報を番組情報提供システム１００内の番組情報登録サーバ１３０へ登録する（Ｓ９０１）。番組情報登録を受け付けた番組情報登録サーバ１３０は番組情報生成サーバ１４０に番組情報登録受付通知を行う（Ｓ９０２）。番組情報登録受付通知を受けた番組情報生成サーバ１４０は番組情報登録サーバ１３０に番組情報取得要求を出し（Ｓ９０３）、番組情報を取得し（Ｓ９０４）、番組情報提供サーバ１２０に配信用番組情報、番組情報検索サーバ１５０に検索用番組情報をそれぞれ登録する（Ｓ９０５、Ｓ９０７）。番組情報提供サーバ１２０、番組情報検索サーバ１５０から登録完了通知（Ｓ９０６、Ｓ９０８）を受け取った番組情報生成サーバ１４０はメールサーバ１６０に登録完了通知メール送信要求を出す（Ｓ９０９）。登録完了通知メール送信要求を受け取ったメールサーバ１６０は放送局に対し、番組情報登録完了メールを送信する（Ｓ９１０）。
【００３７】
図１０は視聴者端末２００が番組情報を取得する一例を示すシーケンス図である。視聴者端末２００は放送局３００からの番組視聴中に特定のボタン、キー操作を行う（Ｓ１００１）ことにより、リンク情報取得要求メールをメールサーバ１６０に送信する（Ｓ１００２）。リンク情報取得要求メールを受け取ったメールサーバ１６０は番組情報検索サーバ１５０にリンク情報取得要求を出し（Ｓ１００３）、検索結果を受け取り（Ｓ１００４）、視聴者端末２００にリンク情報応答メールを送信する（Ｓ１００５）。リンク情報を取得した視聴者端末２００はリンク先へのアクセス操作を行うことで番組情報取得要求を番組情報提供サーバ１２０に送信し（Ｓ１００６）、番組情報応答を得る（Ｓ１００７）。
【００３８】
図１１は視聴者端末でのリンク情報取得要求メール作成のフローの一例を示すフローチャートである。番組視聴中にリンク情報取得要求操作を行う（Ｓ１１０１）ことにより、視聴中のチャンネルや現在時刻を取得し（Ｓ１１０２）、メールを作成する（Ｓ１１０３）。メール作成後、視聴者にメール送信の可否を選択させ（Ｓ１１０４）、メール送信を選択した場合は、メール送信し（Ｓ１１０６）、番組視聴に戻る。リンク情報取得要求操作およびメール送信可否の選択以外は、視聴者端末内部の動作となるため、番組視聴を妨げられることはない。
【００３９】
図１２は視聴者端末で番組情報を取得するフローの一例を示すフローチャートである。番組視聴中にリンク情報メールを受信すると、番組情報へアクセスするか選択する（Ｓ１２０１）。ここで、視聴を継続する場合は、番組情報へアクセスせず、メールは保管される（Ｓ１２０２）。番組情報へアクセスする場合は、メール内のリンクより番組情報へアクセスする（Ｓ１２０３）。リンク情報メールへのアクセスは視聴中、もしくは視聴後のいつでも可能であるので、リアルタイムでなくても番組情報へアクセスすることが可能である。アクセスされた番組情報は出力表示部にて表示される（Ｓ１２０４）。
【図面の簡単な説明】
【００４０】
【図１】番組情報提供システム、視聴者、放送局の関係を説明するための図である。
【図２】本発明を適用した一例の情報管理システムの概要を説明するための図である。
【図３】図２に示す番組情報提供サーバの機能例を説明するための構成図である。
【図４】図２に示す番組情報登録サーバの機能例を説明するための構成図である。
【図５】図２に示す番組情報生成サーバの機能例を説明するための構成図である。
【図６】図２に示す番組情報検索サーバの機能例を説明するための構成図である。
【図７】図２に示すメールサーバの機能例を説明するための構成図である。
【図８】図２に示す視聴者端末の機能例を説明するための構成図である。
【図９】図２に示す情報管理システムに放送局から番組情報を登録する動作例を説明するためのシーケンス図である。
【図１０】図１に示す視聴者端末から情報管理システムに番組情報を取得しに行く動作例を説明するためのシーケンス図である。
【図１１】図８に示す視聴者端末においてリンク情報取得要求を出す動作の一例を説明するためのフローチャートである。
【図１２】図８に示す視聴者端末においてリンク情報取得後に番組情報へのアクセス動作の一例を説明するためのフローチャートである。
【符号の説明】
【００４１】
１：インターネット網
２：放送網
３：ＬＡＮ
１００：情報管理システム
１１０：ファイアウォール
１２０：番組情報提供サーバ
１３０：番組情報登録サーバ
１４０：番組情報生成サーバ
１５０：番組情報検索サーバ
１６０：メールサーバ
２００：視聴者端末
３００：放送局
【図１】
2008301005.tif 000003
【図２】
2008301005.tif 000004
【図３】
2008301005.tif 000005
【図４】
2008301005.tif 000006
【図５】
2008301005.tif 000007
【図６】
2008301005.tif 000008
【図７】
2008301005.tif 000009
【図８】
2008301005.tif 000010
【図９】
2008301005.tif 000011
【図１０】
2008301005.tif 000012
【図１１】
2008301005.tif 000013
【図１２】
2008301005.tif 000014